(57)【特許請求の範囲】
【請求項１】
電源装置において、
内部に収容空間が形成され、表面に該収容空間に連通する開口が形成された本体と、
該収容空間内に設置されるバッテリーと、
該開口周囲に設置される金属リングと、
該収容空間及び該開口周囲の該金属リングを被覆するカバーであり、該開口周囲の該金属リングにより該本体と融着された上記カバーと、
該本体或いは該カバー上に設置され並びに該バッテリーに電気的に接続される連接部と、
該収容空間内に設置され並びに該バッテリーの高周波加熱される一側であり、該金属リング側である一側を被覆する金属上板と、
を包含することを特徴とする、電源装置。
【請求項２】
請求項１記載の電源装置において、上述の本体は帯状体とされ、該本体と該カバーの連接部分は曲面状とされることを特徴とする、電源装置。
【請求項３】
請求項２記載の電源装置において、上述の収容空間内には底板を具え、該底板は該バッテリーと該収容空間底部の間に設置され、上述の金属上板辺縁と該底板は接続されることを特徴とする、電源装置。
【請求項４】
請求項２記載の電源装置において、上述の本体の該開口の周囲に凹溝が形成され、該カバーに該凹溝に嵌合する凸塊が設けられ、上述の金属リングは該凹溝内に設置されることを特徴とする、電源装置。
【請求項５】
請求項１記載の電源装置において、上述の連接部と該バッテリーの間は充放電モジュールに電気的に接続されることを特徴とする、電源装置。
【請求項６】
電源装置の組み合わせ方法において、
まず、本体、バッテリー、金属上板及びカバーを提供し、該本体の内部には収容空間が形成され、該本体の表面には該収容空間に連通する開口が形成され、該本体或いは該カバーの外部には連接部が形成されており、該バッテリーと該金属上板を該収容空間内に取り付け、並びに該バッテリーを該連接部に電気的に接続するステップ、
次に、金属リングを該開口の周囲に取り付け、且つ該カバーを該本体上に取り付け並びに該収容空間及び開口を封じるステップ、
続いて、該金属リングに対して高周波加熱を行ない、並びに該本体内の金属上板を高周波の加熱面に向け、該金属上板を高周波加熱面と該バッテリーの間に配置するステップ、  最後に、該金属リングの表面の熱によりその周囲の該カバーと該本体を融合させて一体となし、該バッテリーを完全に該本体内に密封するステップ、
以上のステップを含むことを特徴とする、電源装置の組み合わせ方法。
【請求項７】
請求項６記載の電源装置の組み合わせ方法において、該バッテリーを底板と金属上板の間に取り付け、続いて該底板、該バッテリー及び該金属上板を共同で該収容空間内に取り付けるステップを含むことを特徴とする、電源装置の組み合わせ方法。
【請求項８】
請求項７記載の電源装置の組み合わせ方法において、上述の本体は予め帯状体に形成し、該本体と該カバーの連接部分は予め曲面状に形成することを特徴とする、電源装置の組み合わせ方法。
【請求項９】
請求項７記載の電源装置の組み合わせ方法において、上述の本体の該開口の周囲には予め凹溝を形成し、該カバーには予め該凹溝に嵌合する凸塊を設け、さらに該金属リングを該凹溝内に取り付けることを特徴とする、電源装置の組み合わせ方法。
【発明の詳細な説明】
【技術分野】
【０００１】
本発明は一種の電源装置及びその組み合わせ方法に係り、特に一種の防水式の装着式電源装置及びその組み合わせ方法に関する。
【背景技術】
【０００２】
装着式電子装置の固定構造は、眼鏡のほかは、ほとんどが帯状体を選択し、それは撓み性と靱性を有するため、人体の四肢に固定するのに適合する。
【０００３】
消費電力がますます大きくなっている装着式電子装置に対応するため、装着式電子装置のバッテリー容量の大きさは非常に重要となっており、それは装着式電子装置の市場での歓迎の程度に影響を与える。
【０００４】
このため、もし、バッテリーを帯状体に取り付けられれば、装着式電子装置はより長い大気時間を有し、バッテリーは人体への装着上、内部への水の進入を防止してバッテリー寿命への影響を防止しなければならず、ゆえに、内部には防水の隔離構造が必要である。
【０００５】
人体に装着するため、バッテリーを具えた帯状体は、曲面に形成される必要があるが、曲面の隔離構造は防水をより困難にする。
【０００６】
高周波加工で形成した防水構造は、完全に水気を隔離でき、並びに曲面隔離構造に対しても同様の効果を有し得る。しかし、もし高周波でバッテリーを有する帯状体を加工すると、エネルギーがバッテリーに伝わり、バッテリーの損壊をもたらし得る。
【０００７】
このことを鑑み、本発明は一種の電源装置及びその組み合わせ方法を提供し、それは帯状体の隔離構造に優れた防水効果を具備させることができ、且つ、バッテリーの高周波による損壊を防止できる。
【発明の概要】
【発明が解決しようとする課題】
【０００８】
本発明の目的は、上述の周知の欠点に対して、一種の電源装置及びその組み合わせ方法を提供することにあり、それは、帯状体に優れた防水効果を具備させられ、且つバッテリーの高周波による損壊を防止できるものとする。
【課題を解決するための手段】
【０００９】
上述の目的を達成するため、本発明は一種の電源装置を公開し、それは、内部に収容空間が形成され、表面に該収容空間に連通する開口が形成された本体と、該収容空間内に設置されるバッテリーと、該開口周囲に設置される金属リングと、該収容空間及び該開口周囲の該金属リングを被覆するカバーであり、上記金属リングが高周波で加熱されることで該本体と融合させられる上記カバーと、該本体或いは該カバー上に設置され並びにバッテリーに接続される連接部と、該収容空間内に設置され並びに該バッテリーの高周波加熱される一側を被覆する金属上板と、を包含する。
【００１０】
上述の本体は帯状体であり、該本体と該カバーの接続部分は曲面状とされる。
【００１１】
上述の収容空間内には底板を具え、該バッテリーと該収容空間底部の間に設置され、上述の金属上板辺縁と該底板は互いに接続される。
【００１２】
上述の本体は開口周囲に凹溝が形成され、該カバーに該凹溝に嵌合する凸塊が設けられ、上述の金属リングは該凹溝内に設置される。
【００１３】
上述の連接部と該バッテリーの間は充放電モジュールに電気的に接続される。
【００１４】
一種の電源装置の組み合わせ方法は、以下のステップを包含する。
【００１５】
まず、本体、バッテリー、金属上板及びカバーを提供し、予め該本体の内部には収容空間が形成され、該本体の表面には該収容空間に連通する開口が形成され、該本体と該カバーの外部には連接部が形成されており、該バッテリーと該金属上板を該収容空間内に取り付け、並びに該バッテリーを該連接部に電気的に接続する。
【００１６】
次に、金属リングを該開口の周囲に取り付け、且つ該カバーを該本体上に取り付け並びに該収容空間及び開口を封じる。
【００１７】
続いて、該金属リングに対して高周波加熱を行ない、並びに該本体内の金属上板を高周波の加熱面に向け、該金属上板を高周波加熱面と該バッテリーの間に位置させる。
【００１８】
最後に、該金属リングの表面の熱によりその周囲の該カバーと該本体を融合させて一体となし、該バッテリーを完全に該本体内に密封する。
【００１９】
上述の電源装置の組み合わせ方法はさらに、該バッテリーを底板と金属上板の間に取り付け、続いて共同で該収容空間内に取り付けるステップを包含する。
【００２０】
上述の本体は予め帯状体に形成し、該本体と該カバーの連接部分は予め曲面状に形成する。
【００２１】
上述の本体の該開口の周囲には予め凹溝を形成し、該カバーには予め該凹溝に嵌合する凸塊を設け、さらに該金属リングを該凹溝内に取り付ける。
【発明の効果】
【００２２】
総合すると、本発明の電源装置は、高周波により金属リングに対して誘導加熱を行ない、これにより、該金属リングにより周囲のカバーと本体を溶融させて一体となし、これにより、バッテリーを完全に本体内に密封し、それは電源装置に優れた防水効果を具備させられ、並びに高周波加工過程中にエネルギーがバッテリーに対して影響を及ぼす問題を克服し、上述の金属上板によりバッテリーを被覆して高周波エネルギーを隔離することで、バッテリーの高周波による損壊を防止でき、且つ上述の金属上板は電源装置の構造強度を増し、電源装置をより安全に携行させる。
【図面の簡単な説明】
【００２３】
【図１】本発明の電源装置の立体分解図である。
【図２】本発明の電源装置の立体図である。
【図３】本発明の電源装置の一つの実施例中の回路ブロック図である。
【図４】本発明の電源装置の組み合わせステップ図である。
【図５】本発明の電源装置の組み合わせステップの別の実施例図である。
【発明を実施するための形態】
【００２４】
以下に本発明の技術内容、構造特徴、達成する目的及び作用効果について、以下に例を挙げ並びに図面を組み合わせて詳細に説明する。
【００２５】
図１及び図２を参照されたい。本発明の電源装置１は電子装置（図示せず）に電力供給するために用いられ、本体１０、バッテリー２０、金属上板３０、カバー４０及び金属リング５０を包含する。バッテリー２０及び金属上板３０は本体１０内に設置され、カバー４０は本体１０表面に設置され、金属リング５０はカバー４０と本体１０の間に設置される。
【００２６】
本体１０は撓み性を有する帯状体とされ、その内部に収容空間１１が形成され、本体１０は表面に結合面１２が画定され、収容空間１１は結合面１２において開口を形成し、金属リング５０は結合面１２の開口周囲に設置され、本体１０外部に連接部１３が設置される。本体１０は好ましくはゴム材質が採用されるが、プラスチック材質、たとえばポリウレタンを採用してもよい。連接部１３はまたカバー４０に設置してもよい。上述の本体１０は帯状体とされ、結合面１２は曲面状とされる。
【００２７】
連接部１３は電子装置と接続し電源を該電子装置に伝送するのに用いられ、連接部１３と電子装置の間はＵＳＢプラグ及びスプリングコネクタ等の方式で電気的接続を達成するほか、係止部或いは係止溝の係合方式により機構連結を達成してもよく、その他の方式も採用可能である。
【００２８】
バッテリー２０は本実施例中では薄型バッテリー２０を選択し、収容空間１１内に設置され、バッテリー２０は上述の連接部１３に電気的に接続される。金属上板３０は平板状とされ、収容空間１１内に設置されると共にバッテリー２０表面と平行に設置される。カバー４０は本体１０の結合面１２に設置され並びに収容空間１１及び結合面１２の開口周囲の金属リング５０を被覆する。
【００２９】
金属リング５０が高周波エネルギーを吸収した後に発生する高温は、本体１０とカバー４０を融合させ、本体１０の結合面１２及びカバー４０はそれぞれ凹溝１４と凸塊４１で係合し、凹溝１４は結合面１２の開口周囲に形成され、凸塊４１はカバー４０表面に設置され、上述の金属リング５０は凹溝１４内に設置され、これにより、金属リング５０は高周波誘導を受けた後に凹溝１４と凸塊４１を融合させて一体となす。
【００３０】
電源装置１を装着式電子装置の固定構造に適合させるため、本体１０、バッテリー２０、金属上板３０及びカバー４０は人体特定部位にマッチする曲面状とされる。
【００３１】
さらに、組み立てに便利であるように、上述の収容空間１１内には底板６０を具え、該底板６０はバッテリー２０と収容空間１１底部の間に設置され、上述の金属上板３０辺縁と底板６０は接続され、金属上板３０と底板６０辺縁の間に開孔が露出し、バッテリー２０が外部と接続可能とされ、これにより、バッテリー２０、底板６０及び金属上板３０は一体に組み合わされ、組み立て時には、直接収容空間１１内に置かれて接着剤で固定され、強固な構造を獲得できる。
【００３２】
図３を参照されたい。別の実施例においては、本発明の電源装置１は、一種の防水ポータブル電源とされ、上述の連接部１３は防水のコネクタプラグとされ、連接部１３とバッテリー２０は電気的に充放電モジュール７０に接続される。
【００３３】
図４を参照されたい。本発明の電源装置１の組み合わせ方式は、以下のステップを包含する。
第１ステップ：本体１０、バッテリー２０、金属上板３０及びカバー４０を提供し、予め該本体１０の内部には収容空間１１が形成され、該本体１０の表面には結合面１２が画定され、該結合面１２に該収容空間１１に連通する開口が形成され、該本体１０或いは該カバー４０の外部には連接部１３が形成されており、該バッテリー２０と該金属上板３０を該収容空間１１内に取り付け、並びに該バッテリー２０を該連接部１３に電気的に接続する。
第２ステップ：金属リング５０を該開口の周囲に取り付け、且つ該カバー４０を該本体１０上に取り付け並びに該収容空間１１及び開口を封じる。
第３ステップ：該金属リング５０に対して高周波加熱を行ない、並びに該本体１０内の金属上板３０を高周波の加熱面に向け、該金属上板３０を高周波加熱面と該バッテリー２０の間に位置させる。
第４ステップ：高周波により金属リング５０に対して誘導加熱することで、金属リング５０の表面の熱に、周囲のカバー４０と本体１０を融合させて一体となし、バッテリー２０を完全に本体１０内に密封する。
【００３４】
図５を参照されたい。ある実施例において、上述の第１ステップはさらに、該バッテリー２０を底板６０と金属上板３０の間に取り付け、続いて共同で該収容空間１１内に取り付け、並びにバッテリー２０を連接部１３に電気的に接続するステップを包含する。
【００３５】
総合すると、本発明の電源装置１は高周波で金属リング５０に対して誘導加熱し、これにより、金属リング５０により周囲のカバー４０と本体１０を融合させ一体となし、これにより、バッテリー２０を完全に本体１０内に密封し、それは電源装置は優れた防水効果を具備し、並びに高周波加工過程中にバッテリー２０に対して発生する影響を克服し、金属上板３０によりバッテリー２０の高周波加工を受ける一側を被覆し、高周波エネルギーを隔離し、バッテリー２０の高周波による損壊を防止し、且つ金属上板３０により電源装置１の構造強度を増加し、電源装置１を携帯時により安全とする。
【００３６】
以上は本発明の好ましい実施例の説明に過ぎず、並びに本発明を限定するものではなく、本発明に提示の精神より逸脱せずに完成されるその他の同等の効果の修飾或いは置換は、いずれも本発明の権利請求範囲内に属する。
【符号の説明】
【００３７】
１  電源装置
１０  本体
１１  収容空間
１２  結合面
１３  連接部
１４  凹溝
２０  バッテリー
３０  金属上板
４０  カバー
４１  凸塊
５０  金属リング
６０  底板
７０  充放電モジュール
【図１】
0005926774.tif 000002
【図２】
0005926774.tif 000003
【図３】
0005926774.tif 000004
【図４】
0005926774.tif 000005
【図５】
0005926774.tif 000006